(57)【特許請求の範囲】
【請求項１】
容器本体の胴部外周面に装着され、周方向に複数並べて形成された短冊片より上部および下部を互いに接近させ、前記各短冊片の山折部を屈曲させることで、外周側に突出した断熱把持部を形成可能な断熱用スリーブのブランク材の前記各短冊片の前記山折部に、折り癖を付ける折り癖付与ユニットであって、
前記ブランク材を挟み込んでプレスする第１金型および第２金型を備え、
前記第１金型は、前記第２金型に対向する側に、前記複数の短冊片の各山折部に対応する位置に配置され、前記ブランク材のプレス時に前記ブランク材の一方面側から前記ブランク材の前記山折部を押す部位として機能する複数の折り癖付与突部を有し、
前記第２金型は、前記第１金型に対向する側に、前記複数の短冊片の各山折部以外の箇所に対応する位置に配置され、前記ブランク材のプレス時に前記ブランク材の他方面側から前記ブランク材の前記山折部以外の箇所を押さえる部位として機能するブランク押さえ部を有し、
前記ブランク押さえ部は、少なくとも一部分が、前記第２金型の金型本体とは別体に形成された弾性材料から成る弾性押さえ部材から構成されていることを特徴とする折り癖付与ユニット。
【請求項２】
前記複数の短冊片は、交互に配置される、前記山折部を下方近辺に有した第１短冊片および前記山折部を上方近辺に有した第２短冊片から構成され、
前記複数の折り癖付与突部は、前記各山折部の位置に対応するように、横方向に向かって上方および下方に千鳥状に交互に配置され、
前記ブランク押さえ部は、少なくとも、前記上方および下方に配置された山折部の中間位置に対応する位置に配置されていることを特徴とする請求項１に記載の折り癖付与ユニット。
【請求項３】
前記各折り癖付与突部は、前記第１短冊片に対応する位置において、上下方向の内側から下方に向けて突出量が大きくなるように傾斜し、前記第２短冊片に対応する位置において、上下方向の内側から上方に向けて突出量が大きくなるように傾斜していることを特徴とする請求項２に記載の折り癖付与ユニット。
【請求項４】
前記弾性押さえ部材は、前記上方および下方に配置された山折部の中間位置に対応する位置に配置されていることを特徴とする請求項２または請求項３に記載の折り癖付与ユニット。
【請求項５】
前記折り癖付与突部の最大突出箇所における突出量は、２〜３ｍｍで設定されていることを特徴とする請求項１乃至請求項４のいずれかに記載の折り癖付与ユニット。
【発明の詳細な説明】
【技術分野】
【０００１】
本発明は、容器本体の胴部外周面に装着され断熱把持部を形成可能な断熱用スリーブのブランク材に折り癖を付ける折り癖付与ユニットに関する。
【背景技術】
【０００２】
従来、胴部および底部を有する容器本体と、容器本体の胴部外周面に嵌合した断熱用スリーブとを有し、断熱用スリーブには、高さ方向の一定範囲の上下方向に複数の短冊片を形成する複数のスリットが設けられ、断熱用スリーブの短冊片より上部あるいは下部をスライドすることで、複数の短冊片が屈曲または湾曲し、外周部に突出して断熱把持部を形成してなる断熱容器として、本出願人は、人の力などを用いて断熱用スリーブを押し上げたり、押し下げたりすることで短冊片を断熱把持部に変形させる構造を開示する特許第４２９４５７９号（特許文献１）や特許第４３９１９０８号（特許文献２）を提案し、相応の成果を挙げている。
【０００３】
これらの断熱容器は、複数の短冊片が屈曲または湾曲し、外周部に突出して断熱把持部を形成した状態で当該突出部分が容器本体から離間していることで、当該突出部分を外部から把持しても持つ手に熱が伝わらないことが重要であり、複数の短冊片が元の形状に戻らないことが求められる。したがって、摩擦や重力により断熱用スリーブのスライド状態を維持するだけでは、強く把持した際に複数の短冊片が元の形状に戻る可能性があり、断熱効果が減少するおそれがあった。また、把持した際に短冊片の突出部分が変形することで、手から滑り落ちる危険性があった。このため、これらの公知の断熱容器においては、短冊片を高さ方向に長く形成してスライド時に不可逆に折り畳まれるようにしたり、複雑な折り目形状として把持した際に可能な限り突出を維持するようにしたり、短冊片の突出を維持するために固定する別途の部材を付加したりするなどの構成を採用して、上記問題点を軽減していた。
【０００４】
しかしながら、これらの公知の断熱容器においては、上述したような構造、機構とすることにより、断熱用スリーブを押し上げたり、押し下げたりする動作が大きくなったり、余分な動作を必要とするなど、簡単に断熱把持部を形成することができないという問題があった。また、上述したような構造、機構を設けることにより、製造や組立の手間やコストがかかるという問題があった。
【０００５】
そこで、上述した問題を解決する発明として、本出願人は、国際公開ＷＯ２０１２／１６０６８２号（特許文献３）を提案している。この特許文献３の断熱容器５００では、図１１に示すように、複数の短冊片５２１、５２２が、谷折部５２５を下端に有するとともに山折部５２６を下方近辺に有した第１短冊片５２１と、谷折部５２３を上端に有するとともに山折部５２４を上方近辺に有した第２短冊片５２２とを交互に配置して成り、複数のスリット５３０の少なくとも１つが、短冊片５２１、５２２に凸部５２７および凹部５２８を形成するロック形成部５３１を有しており、断熱用スリーブ５２０の短冊片５２１、５２２より上部あるいは下部をスライドして断熱用スリーブ５２０に断熱把持部を形成した際に、両側部の短冊片５２１、５２２の対向する凸部５２７が上下方向にスライドして互いに乗り越えた状態で係止され、外部から把持しても複数の短冊片５２１、５２２が突出した形状が維持される。
【先行技術文献】
【特許文献】
【０００６】
【特許文献１】特許第４２９４５７９号公報（全頁、全図）
【特許文献２】特許第４３９１９０８号公報（全頁、全図）
【特許文献３】国際公開ＷＯ２０１２／１６０６８２号
【発明の概要】
【発明が解決しようとする課題】
【０００７】
ところが、特許文献３の断熱容器５００では、断熱用スリーブ５２０を上下方向にスライドさせて断熱用スリーブ５２０に断熱把持部を形成する際に、ロック形成部５３１において干渉（予定しない引っ掛かり）が生じ、その結果、ロック形成部５３１に干渉が生じた状態で、断熱用スリーブ５２０をスライドさせることによる力が短冊片５２１、５２２に加わることで、山折部５２４、５２６や谷折部５２３、５２５以外の予定外な箇所（例えば図１１のＡ部分）において折れ曲がり等の変形が生じたり、山折部５２４、５２６や谷折部５２３、５２５において所定方向とは逆側への折れ曲がりが生じることがあるという問題があった。
【０００８】
そこで、本発明は、これらの問題点を解決するものであり、簡便な構成で、断熱用スリーブの各短冊片の各山折部に適切な折り癖を付けることが可能な折り癖付与ユニットを提供することを目的とする。
【課題を解決するための手段】
【０００９】
本発明は、容器本体の胴部外周面に装着され、周方向に複数並べて形成された短冊片より上部および下部を互いに接近させ、前記各短冊片の山折部を屈曲させることで、外周側に突出した断熱把持部を形成可能な断熱用スリーブのブランク材の前記各短冊片の前記山折部に、折り癖を付ける折り癖付与ユニットであって、前記ブランク材を挟み込んでプレスする第１金型および第２金型を備え、前記第１金型は、前記第２金型に対向する側に、前記複数の短冊片の各山折部に対応する位置に配置され、前記ブランク材のプレス時に前記ブランク材の一方面側から前記ブランク材の前記山折部を押す部位として機能する複数の折り癖付与突部を有し、前記第２金型は、前記第１金型に対向する側に、前記複数の短冊片の各山折部以外の箇所に対応する位置に配置され、前記ブランク材のプレス時に前記ブランク材の他方面側から前記ブランク材の前記山折部以外の箇所を押さえる部位として機能するブランク押さえ部を有し、前記ブランク押さえ部は、少なくとも一部分が、前記第２金型の金型本体とは別体に形成された弾性材料から成る弾性押さえ部材から構成されていることにより、前記課題を解決するものである。
【発明の効果】
【００１０】
本請求項１に係る発明によれば、ブランク材を挟み込んでプレスする第１金型および第２金型を備え、第１金型が、第２金型に対向する側に、複数の短冊片の各山折部に対応する位置に配置された複数の折り癖付与突部を有し、第２金型が、第１金型に対向する側に、複数の短冊片の各山折部以外の箇所に対応する位置に配置されたブランク押さえ部を有していることにより、簡便な構成で、断熱用スリーブの各短冊片の山折部に適切な折り癖を付けることが可能であり、断熱用スリーブの上部および下部を接近させることによる断熱把持部の形成時に、各短冊片に予定外の変形が生じることを防止することができる。
【００１１】
本請求項２に係る発明によれば、複数の折り癖付与突部が、各山折部の位置に対応するように、横方向に向かって上方および下方に千鳥状に交互に配置され、ブランク押さえ部は、上方および下方に配置された山折部の中間位置に対応する位置に配置されていることにより、簡便な構成で、第１短冊片の下方近辺の山折部と第２短冊片の上方近辺の山折部とに、適切な折り癖を纏めて付与することができる。
本請求項３に係る発明によれば、各折り癖付与突部が、第１短冊片に対応する位置において、上下方向の内側から下方に向けて突出量が大きくなるように傾斜し、第２短冊片に対応する位置において、上下方向の内側から上方に向けて突出量が大きくなるように傾斜していることにより、第１短冊片および第２短冊片の山折部に、ブランク材を局所的に押圧した場合に生じがちな押圧痕を付けることなく、山折部に適切な折り癖を付与することができる。
本請求項４に係る発明によれば、ブランク押さえ部として機能する弾性押さえ部材が、上方および下方に配置された山折部の中間位置に配置されていることにより、第１金型および第２金型の所定位置に設置されたブランク材に位置ズレが生じることを抑制できるとともに、ブランク材に不要な折り癖や折れ曲がりが付くことを防止できる。
本請求項５に係る発明によれば、折り癖付与突部の最大突出箇所における突出量が２〜３ｍｍで設定されていることにより、第１短冊片および第２短冊片の山折部に、不要な押圧痕等が付くことを防止しつつ、当該山折部に適切な圧を加え良好な折り癖を付けることができる。
【図面の簡単な説明】
【００１２】
【図１】本発明の加工対象である断熱容器を示す側面図。
【図２】断熱用スリーブを示す側面図。
【図３】断熱用スリーブの山折部および谷折部を折り曲げた状態を模式的に示す説明図。
【図４】本発明の第１実施形態である折り癖付与ユニットの第１金型を示す説明図。
【図５】図４の反対側から見て第１金型を示す平面図。
【図６】第１実施形態の第２金型を示す平面図。
【図７】第１実施形態において、断熱用スリーブのブランク材に折り癖を付ける位置を示す説明図。
【図８】本発明の参考例である折り癖付与ユニットの第１金型を示す説明図。
【図９】参考例の第２金型を示す平面図。
【図１０】参考例において、断熱用スリーブのブランク材に折り癖を付ける位置を示す説明図。
【図１１】従来の断熱容器を示す側面図。
【発明を実施するための形態】
【００１３】
以下に、本発明の第１実施形態である折り癖付与ユニット１００について、図面に基づいて説明する。
【００１４】
初めに、折り癖付与ユニット１００の加工対象である断熱用スリーブ３２０について、図面に基づいて以下に説明する。
【００１５】
断熱用スリーブ３２０は、図１に示すように、容器本体３１０の胴部３１１の外周面に装着され、断熱用スリーブ３２０の上部および下部を互いに接近させることで、外周側に突出する断熱把持部を形成することが可能なものであり、容器本体３１０とともに断熱容器３００を構成するものである。
【００１６】
断熱用スリーブ３２０は、紙や樹脂から形成され、容器上方の開口部３１２側でのみ、胴部３１１の外周面に固定（具体的には接着）されており、断熱用スリーブ３２０には、図１に示すように、高さ方向の一定範囲の上下方向に複数の短冊片３２１、３２２を形成する複数のスリット３３０が設けられている。
【００１７】
断熱用スリーブ３２０の最下端は、図１に示すように、容器本体３１０の最下端に対して所定の高さだけ突出しており、断熱用スリーブ３２０は、この高さ分だけ短冊片３２１、３２２を屈曲させながら、上方にスライドすることができる。
【００１８】
複数の短冊片３２１、３２２は、図２に示すように、下端に下部谷折部３２５を有し下方近辺に下部山折部３２６を有する第１短冊片３２１と、上端に上部谷折部３２３を有し上方近辺に上部山折部３２４を有する第２短冊片３２２とが周方向に隣接して交互に配置されている。
【００１９】
複数のスリット３３０は、図２に示すように、ロック形成部３３１が形成されたものと、ロック形成部３３１が形成されていないものとが、周方向に交互に配されている。スリット３３０のロック形成部３３１は、左右両側の短冊片３２１、３２２の上部山折部３２４と下部山折部３２６の中間部分において、左右両側の短冊片３２１、３２２に凸部３２７および凹部３２８を形成する。本実施形態では、容器を形成した際の正面から見て、第１短冊片３２１の左側と第２短冊片３２２の右側で挟まれたスリット３３０を、ロック形成部３３１を有するスリット３３０としている。
【００２０】
ロック形成部３３１が形成されていないスリット３３０については、図２に示すように、曲線部から構成されている。なお、当該スリット３３０を、直線部および曲線部から構成してもよい。
【００２１】
上述したように構成された断熱用スリーブ３２０では、断熱用スリーブ３２０の短冊片３２１、３２２より下部を上方にスライドさせた際に、両側部の短冊片３２１、３２２の対向する凸部３２７が上下方向にスライドして互いに乗り越えた状態で係止され、外部から把持しても複数の短冊片３２１、３２２が突出した形状が維持される。
【００２２】
次に、折り癖付与ユニット１００について、図面に基づいて以下に説明する。
【００２３】
折り癖付与ユニット１００は、図７に示すような断熱用スリーブ３２０のブランク材３２０Ｂに折り癖を付与するものであり、具体的には、スリット３３０を形成した後であってサイドシーム部３３２を接着する前の状態のブランク材３２０Ｂに折り癖を付与するものである。
【００２４】
折り癖付与ユニット１００は、図４〜図６に示すように、ブランク材３２０Ｂを挟み込んでプレスする上型としての第１金型１１０および下型としての第２金型１４０を備えている。
【００２５】
第１金型１１０は、図４や図５に示すように、金属や樹脂等から成る第１型本体１２０と、第１型本体１２０に着脱可能に取り付けられた金属や樹脂等から成る複数の押圧部材１３０とを備えている。
複数の押圧部材１３０は、図４に示すように、第２金型１４０側に対向する第１型本体１２０の第１対向面１２１から、その一部が突出しており、第１対向面１２１から突出した押圧部材１３０の一部が、ブランク材３２０Ｂを押す折り癖付与突部１３１として機能する。
これら折り癖付与突部１３１は、図４に示すように、その最大突出箇所である頂点部１３２が、各短冊片３２１、３２２の山折部３２４、３２６の位置に対応するように、第１対向面１２１上において、横方向に向かって上方および下方に千鳥状に交互に配置されている。
また、折り癖付与突部１３１は、第１短冊片３２１に対応する位置において、上下方向の内側から下方に向けて突出量が大きくなるように、第１対向面１２１に対して約１０°で傾斜し、また、第２短冊片３２２に対応する位置において、上下方向の内側から上方に向けて突出量が大きくなるように、第１対向面１２１に対して約１０°で傾斜している。
また、折り癖付与突部１３１の頂点部１３２の、基準面である第１対向面１２１からの突出量は、２〜３ｍｍで設定されている。また、折り癖付与突部１３１の幅は、約３ｍｍで設定されている。また、折り癖付与突部１３１の表面は、曲面状に形成されている。
【００２６】
第２金型１４０は、図６に示すように、金属や樹脂等から成る第２型本体１５０と、第２型本体１５０に着脱可能に取り付けられた弾性押さえ部材１６０とを備えている。
第２型本体１５０には、図６に示すように、第２型本体１５０に対してブランク材３２０Ｂを位置決めするための複数の位置決め突起１５２と、第１型本体１２０の位置決め孔１２２に挿入され第１型本体１２０と第２型本体１５０との間を位置決めする位置決め柱部１５３と、第２対向面１５１に凹設された凹部状の受け部１５４とが、第１金型１１０側に対向する第２対向面１５１側に形成されている。
弾性押さえ部材１６０は、合成ゴム等の弾性材料から形成され、上部山折部３２４および下部山折部３２６の中間位置に対応するように、受け部１５４内において、湾曲しながら横方向に延びている。
第１実施形態では、弾性押さえ部材１６０が、上部山折部３２４および下部山折部３２６の中間位置でブランク材３２０Ｂを押さえるブランク押さえ部１７０として機能するとともに、凹部状の受け部１５４の周辺部分が、短冊片３２１、３２２の周囲部分を押さえるブランク押さえ部として機能する。
【００２７】
次に、本発明の参考例に係る折り癖付与ユニット２００について、図８〜１０に基づいて説明する。ここで、参考例では、一部構成については、前述した第１実施形態と全く同じである。そのため、第１実施形態に関する明細書および図面に示す１００番台の符号を２００番台の符号に読み替えることによって、相違点以外の構成については、その説明を省略する。
【００２８】
まず、上述した第１実施形態の折り癖付与ユニット１００では、図７に示すように、折り癖付与突部１３１によってブランク材３２０Ｂを線状に押圧する、本参考例の折り癖付与ユニット２００では、図１０に示すように、折り癖付与突部２３１によってブランク材３２０Ｂを点状に押圧する。
【００２９】
具体的に説明すると、本参考例では、図８に示すように、各押圧部材２３０の先端部のみが、第１金型２１０の第１対向面２２１から突出して折り癖付与突部２３１として機能しており、これら折り癖付与突部２３１が、断熱用スリーブ３２０の複数の短冊片３２１、３２２の各山折部３２４、３２６の位置に対応するように、横方向に向かって上方および下方に千鳥状に交互に配置されている。
また、基準面である第１対向面２２１からの折り癖付与突部２３１の突出量は、０．５〜１．５ｍｍで設定され、また、折り癖付与突部２３１の幅（径）は、約１ｍｍで設定されている。また、折り癖付与突部２３１の表面は、曲面状に形成されている。
【００３０】
また、第２金型２４０には、図９に示すように、折り癖付与突部２３１の配置に対応するように、複数の孔状の受け部２５４が千鳥状に形成されている。
本参考例では、第２金型２４０の第２対向面２５１の受け部２５４以外の部分が、複数の短冊片３２１、３２２の各山折部３２４、３２６以外の箇所に対応する位置に配置されたブランク押さえ部２７０として機能する。
【００３１】
以上、本発明の実施形態を詳述したが、本発明は上記実施形態に限定されるものではなく、特許請求の範囲に記載された本発明を逸脱することなく種々の設計変更を行なうことが可能である。
【００３２】
例えば、本発明の折り癖付与ユニットの加工対象である断熱用スリーブの具体的態様は、周方向に複数並べて形成された短冊片より上部および下部を互いに接近させ、各短冊片の山折部を屈曲させることで、外周側に突出した断熱把持部を形成可能なものであれば如何なるものでもよい。例えば、上述した各スリットが直線状に形成された断熱用スリーブや、スリットにロック形成部を形成していない断熱用スリーブに、本発明の折り癖付与ユニットを適用してもよい。
また、上述した実施形態では、断熱用スリーブに断熱把持部を形成する際に、断熱用スリーブの下部を初期状態から上方にスライドさせたが、断熱用スリーブの下端を水平面に載置し、断熱用スリーブの上部あるいは容器本体を押し下げるようにスライドさせてもよい。
また、上述した実施形態では、ブランク材にスリットを形成した後に、折り癖を付与するものとして説明した。しかしながら、折り癖付与の加工を施すタイミングは如何なるものでもよく、例えば、第１金型または第２金型にスリット形成用の刃を設け、スリット形成および折り癖付与を同時に行ってもよい。
また、上述した実施形態では、第１金型が上型であり第２金型が下型であるものとして説明したが、反対に、第１金型が下型であり第２金型が上型であってもよい。
また、上述した実施形態では、第２金型に形成された位置決め突起によって金型に対するブランク材の位置決めを行うものとして説明したが、ブランク材の位置決め手段については上記に限定されない。また、第１金型および第２金型間の位置決め手段の具体的態様についても、上記に限定されない。
また、ブランク押さえ部の具体的態様についても、複数の短冊片の各山折部以外の箇所に対応する位置に配置されるものであれば如何なるものでもよい。
【符号の説明】
【００３３】
１００、２００  ・・・  折り癖付与ユニット
１１０、２１０  ・・・  第１金型
１２０、２２０  ・・・  第１型本体
１２１、１２１  ・・・  第１対向面
１２２、２２２  ・・・  位置決め孔
１３０、２３０  ・・・  押圧部材
１３１、２３１  ・・・  折り癖付与突部
１３２、２３２  ・・・  頂点部
１４０、２４０  ・・・  第２金型
１５０、２５０  ・・・  第２型本体
１５１、２５１  ・・・  第２対向面
１５２、２５２  ・・・  位置決め突起
１５３、２５３  ・・・  位置決め柱部
１５４、２５４  ・・・  受け部
１６０、２６０  ・・・  弾性押さえ部材
１７０、２７０  ・・・  ブランク押さえ部
３００    ・・・  断熱容器
３１０    ・・・  容器本体
３１１    ・・・  胴部
３１２    ・・・  開口部
３２０    ・・・  断熱用スリーブ
３２０Ｂ  ・・・  ブランク材
３２１    ・・・  第１短冊片
３２２    ・・・  第２短冊片
３２３    ・・・  上部谷折部
３２４    ・・・  上部山折部
３２５    ・・・  下部谷折部
３２６    ・・・  下部山折部
３２７    ・・・  凸部
３２８    ・・・  凹部
３３０    ・・・  スリット
３３１    ・・・  ロック形成部
３３２    ・・・  サイドシーム部
【図１】
0006411174.tif 000002
【図２】
0006411174.tif 000003
【図３】
0006411174.tif 000004
【図４】
0006411174.tif 000005
【図５】
0006411174.tif 000006
【図６】
0006411174.tif 000007
【図７】
0006411174.tif 000008
【図８】
0006411174.tif 000009
【図９】
0006411174.tif 000010
【図１０】
0006411174.tif 000011
【図１１】
0006411174.tif 000012